(57)【要約】      （修正有）【課題】複数の照明装置を同時に制御することができるとともに、アドレスの指定をすることなく、複数の照明装置を個別に制御することを可能とする。【解決手段】光源２と、前記光源２を制御する制御信号を受信する受信部９と、前記受信部９にて受信した前記制御信号の受信強度に応じて、前記光源２の点灯状態を制御する制御部とを有することを特徴とする照明装置である。【選択図】図１
2010114008.tif 000002
【特許請求の範囲】
【請求項１】
光源と、
前記光源を制御する制御信号を受信する受信部と、
前記受信部にて受信した前記制御信号の受信強度に応じて、前記光源の点灯状態を制御する制御部と
を有することを特徴とする照明装置。
【請求項２】
前記受信部にて受信した制御信号の受信強度を検出する検出部を有することを特徴とする請求項１に記載の照明装置。
【請求項３】
前記受信部にて受信した第１の制御信号の受信強度を記憶する記憶部を有し、
前記制御部は、前記第１の制御信号を受信した後に受信した第２の制御信号の受信強度が、前記第１の制御信号の受信強度と同じまたは前記第１の制御信号の受信強度よりも大きければ、前記第２の制御信号に応じて前記光源の点灯状態を制御することを特徴とする請求項１または請求項２の何れかに記載の照明装置。
【請求項４】
前記記憶部は、前記第１の制御信号の受信強度を所定の時間記憶しておくことを特徴とする請求項３に記載の照明装置。
【請求項５】
請求項１から請求項４の何れか１項に記載の照明装置と、前記光源を制御する遠隔操作機器からなることを特徴とする照明システム。
【請求項６】
前記遠隔操作機器が送信する制御信号の強度は略一定であることを特徴とする請求項５に記載の照明システム。
【請求項７】
受信部にて受信した第１の制御信号の受信強度を記憶する工程と、
前記第１の制御信号を受信した後に受信した第２の制御信号の受信強度を、前記第１の制御信号の受信強度と比較する工程と、
前記第２の制御信号の受信強度が、前記第１の制御信号の受信強度と同じまたは前記第１の制御信号の受信強度よりも大きければ、前記第２の制御信号に応じて光源の点灯状態を制御する工程と
からなることを特徴とする照明制御方法。
【発明の詳細な説明】
【技術分野】
【０００１】
本発明は、リモコン等の遠隔操作機器から送信される制御信号の受信強度に応じて光源の点灯状態を制御する照明装置、照明システム及び照明制御方法に関する。
【背景技術】
【０００２】
オフィスや工場等の広い室内では、室内を隅々まで照明するために、天井に複数の照明装置が設置されている。また、照明装置の電源のオン／オフや調光を制御するために、一般的にリモコンが採用されており、１つのリモコンで複数の照明装置を制御できる照明システムが提案されている。（例えば特許文献１）
【０００３】
下記特許文献１に記載されている照明システムは、複数の照明装置と該複数の照明装置を制御するリモコンからなる照明システムである。前記複数の照明装置は、それぞれ固有のアドレスを有しており、リモコンでアドレスを指定して制御することで、複数の照明装置を個別に制御することが可能である。
【特許文献１】特開２００３−２２９２８４号公報
【発明の開示】
【発明が解決しようとする課題】
【０００４】
しかし、上記従来の照明システムは、複数の照明装置がそれぞれ異なるアドレスを有しているので、照明システムを構成する照明装置の数が非常に多くなると、アドレスの管理が煩わしくなるという問題があった。
【０００５】
また、アドレスを指定して照明装置を個別に制御する場合においても、制御しようとする照明装置が有するアドレスを正確に把握することが難しく、照明装置を正確に指定して制御することが困難であった。
【０００６】
さらにまた、複数の照明装置を正確に制御できるように、照明装置毎に個別のリモコンを備えようとすると、個々の照明装置を正確に制御することが可能となるが、照明装置の数に比例してリモコンが増えてしまい、コストが掛かるという問題があった。
【課題を解決するための手段】
【０００７】
本発明の照明装置は、光源と、前記光源を制御する制御信号を受信する受信部と、前記受信部にて受信した前記制御信号の受信強度に応じて、前記光源の点灯状態を制御する制御部とを有することを特徴とする。
【０００８】
本発明にあっては、複数の照明装置を同時に制御することができるとともに、アドレスの指定をすることなく、複数の照明装置を個別に制御することが可能である。
【０００９】
本発明の照明装置は、さらに、前記受信部にて受信した制御信号の受信強度を検出する検出部を有することを特徴とする。
【００１０】
本発明の照明装置は、さらに、前記受信部にて受信した第１の制御信号の受信強度を記憶する記憶部を有し、前記制御部は、前記第１の制御信号を受信した後に受信した第２の制御信号の受信強度が、前記第１の制御信号の受信強度と同じまたは前記第１の制御信号の受信強度よりも大きければ、前記第２の制御信号に応じて前記光源の点灯状態を制御することを特徴とする。
【００１１】
本発明の照明装置は、さらに、前記記憶部が、前記第１の制御信号の受信強度を所定の時間記憶しておくことを特徴とする。
【００１２】
本発明にあっては、所定の時間が経過した後は、第２の制御信号の受信強度が第１の制御信号の受信強度より大きくなくても、第２の制御信号に応じて、照明装置を制御することができる。
【００１３】
本発明の照明システムは、前記照明装置と、前記光源を制御する遠隔操作機器からなることを特徴とする。
【００１４】
本発明にあっては、遠隔操作装置を用いて、複数の照明装置を同時に制御することができるとともに、アドレスの指定をすることなく、複数の照明装置を個別に制御することが可能な照明システムを実現することが可能となる。
【００１５】
本発明の照明システムは、さらに、前記遠隔操作機器が送信する制御信号の強度が略一定であることを特徴とする。
【００１６】
本発明にあっては、遠隔操作機器の送信する制御信号の強度を制御することなく、遠隔操作機器を制御したい照明機器に向けて制御信号を送信するだけで、個別の照明装置を制御することができる。
【００１７】
本発明の照明制御方法は、受信部にて受信した第１の制御信号の受信強度を記憶する工程と、前記第１の制御信号を受信した後に受信した第２の制御信号の受信強度を、前記第１の制御信号の受信強度と比較する工程と、前記第２の制御信号の受信強度が、前記第１の制御信号の受信強度と同じまたは前記第１の制御信号の受信強度よりも大きければ、前記第２の制御信号に応じて光源の点灯状態を制御する工程とからなることを特徴とする。
【００１８】
本発明にあっては、複数の照明装置を同時に制御することができるとともに、アドレスの指定をすることなく、複数の照明装置を個別に制御することが可能である。
【発明の効果】
【００１９】
本発明によれば、複数の照明装置を同時に制御することができるとともに、アドレスの指定をすることなく、複数の照明装置を個別に制御することが可能である。
【発明を実施するための最良の形態】
【００２０】
以下、本発明の照明装置の実施の形態について、図面を用いて説明する。
【００２１】
（実施の形態１）
図１は、本発明の実施の形態１の照明装置の概略斜視図であり、（ａ）は照明装置の被照射側から見た概略斜視図、（ｂ）は拡散板を外した状態の照明装置の被照射側から見た概略斜視図、（ｃ）は被照射側の反対側から見た照明装置の概略斜視図である。図２は、図１の照明装置の概略ブロック図である。
【００２２】
図１と図２を用いて、実施の形態１の照明装置の構成について説明する。
照明装置１は、細長の形状であって、光源としての発光ダイオード２（以下、ＬＥＤ２と記す）を収容する筐体３（以下、照明ケース３と記す）と、ＬＥＤ２に電流を供給する電源回路１２を収容する筐体４（以下、電源ケース４と記す）を別体に備えており、照明ケース３と電源ケース４は互いに着脱可能な構成である。
【００２３】
照明ケース３は、例えばアルミニウム等の軽量かつ放熱性が良い金属からなる細長の略直方体形状（蒲鉾型の箱形状）であり、照明ケース３の短手側の両端と底面と対向する側において開口部（図示せず）を有している。
【００２４】
照明ケース３の底面には、複数の表面実装型のＬＥＤ２を基板５に装着したＬＥＤモジュール６が複数枚（本実施の形態では４枚）並べて配設されており、底面と対向する開口部側から光が照射される。また、該開口部には、ポリカーボネート樹脂からなる乳白色の拡散板７が設けられており、ＬＥＤ２から照射される光を拡散板７にて拡散することによって、使用者が感じるグレアを低減することができる。
【００２５】
さらにまた、ＬＥＤモジュール６の表面には、ＬＥＤ２の実装部分を除外して、反射シート（図示せず）が設けられている。ＬＥＤ２から照射された光は、拡散板７にて一部がＬＥＤモジュール６の方向に反射されるが、この反射された光を前記反射シートにて反射することにより、開口部側に再度照射することができる。よって、ＬＥＤ２から照射された光を効率的に照明に活用することが可能となる。
【００２６】
さらに、照明ケース３の短手側の両端部には、ＬＥＤモジュール６と電源回路１２を電気的に接続する配線と、照明ケース３と電源ケース４を係止する係止部が設けられている。これらは、照明ケース３の短手側の両端部にサイドカバー８を装着することによって、外部から視認されないような構成となっている。また、サイドカバー８は、拡散板７を被照射側から押圧して保持することによって固定している。
【００２７】
また、照明ケース３の短手側の両端部には、一方の端部に遠隔操作機器としてのリモコン２５から送信された赤外線の制御信号を受信する受信部としての赤外線センサ９が設けられており、他方の端部に照明装置の周囲の照度を検知する照度センサ１０が設けられている。赤外線センサ９及び照度センサ１０の本体は、照明ケース３の内部に収容され、サイドカバー８によって覆われているが、赤外線センサ９及び照度センサ１０の受光部は、赤外線等の光を受光できるようにサイドカバー８の中央から外部に露出させて設けられている。赤外線センサ９及び照度センサ１０の詳細については後述する。
【００２８】
電源ケース４は、鉄等の金属からなる細長の略直方体形状（箱形状）であり、電源ケース４の開口部側が照明ケース３の底面の裏面に対向するようにして、照明ケース３に係止される。電源ケース４の内部の底面には、天井等の設置面に配設され照明装置１に引き込まれる電力線を接続する端子台１１と、電力線から供給される交流を変換してＬＥＤモジュール６に電源を供給する電源回路１２が設けられている。端子台１１、電源回路１２及びＬＥＤモジュール６は配線によって、電気的に接続されている。
【００２９】
次に図２を用いて、照明装置を構成する各ユニットの接続及び制御について説明する。
照明装置１は、例えば１００Ｖの交流である外部電源から供給される電源を直流に変換してＬＥＤモジュール６等に供給する電源ユニット１３と、電源ユニット１３から供給される電源によって駆動されて照明する照明ユニット１５と、照明ユニット１５の調光等の制御を行う制御ユニット１４から構成される。
【００３０】
電源ユニット１３は、交流の外部電源を定電流電源に変換する電源回路であって、保護回路１６と、交流を全波整流する整流回路１７と、ノイズを除去するノイズフィルタ回路１８と、ＬＥＤモジュール６等の駆動するため所定の電圧まで降圧させる変圧回路１９と、照明ユニット１５に定電流を供給する照明ユニット定電流供給回路２０（略３３Ｖ）と、制御ユニット１４に定電流を供給する制御ユニット定電流供給回路２１（略５Ｖ）と、前記２つの定電流供給回路から供給される電流を安定した定電流とするための定電流制御回路２２とから構成される。
【００３１】
照明ユニット１５は、複数（本実施形態では４つ）の光源モジュールとしてのＬＥＤモジュール６から構成される。
【００３２】
制御ユニット１４は、照明ユニット１５の調光等の制御を行う制御部としてのマイコン２３と、マイコン２３が赤外線信号の受信強度等のデータを格納及び参照を行う記憶部としてのＥＥＰＲＯＭ等のメモリ２４と、照明装置１の周囲の照度を検出する照度センサ１０と、照明装置１の電源のオン／オフや調光等の制御信号をリモコン２５から受信する受信部としての赤外線センサ９とから構成される。赤外線センサ９の詳細については、図３を用いてさらに後述する。
【００３３】
遠隔操作機器としてのリモコン２５は、照明装置１の電源のオン／オフや調光のレベルを選択できる操作部２７と、該操作部２７で選択した操作に対応して制御信号を赤外線で送信する送信部２６とから構成される。また、照明装置１の現在の調光のレベル等を表示する表示部を備えていてもよい。
【００３４】
図３は、赤外線センサの構成と、赤外線センサで受信したリモコンからの制御信号の受信強度を検出する検出部の回路構成を示す概略ブロック図である。
【００３５】
赤外線センサ９は、リモコン２５から送信された赤外線の制御信号を受信する受光部２８と、受光部２８で受信した制御信号を増幅し、さらに復号してマイコン２３が解読できるロジックレベルの制御信号（後述するリモコン信号）をマイコン２３に送信するＡＧＣ（Ａｕｔｏｍａｔｉｃ  Ｇａｉｎ  Ｃｏｎｔｒｏｌ）回路２９から構成される。
【００３６】
ＡＧＣ回路２９は、入力信号の強度に合せて入力信号を増幅するゲインを自動的に設定することによって、入力信号の強度に関わらず、一定の強度の信号を出力する回路である。本実施の形態の照明装置におけるＡＧＣ回路２９は、受光部２８で受信した制御信号の受信強度に応じて信号を増幅させるゲインが自動的に設定される。ＡＧＣ回路２９は、制御信号の受信強度に応じて設定されたゲインを制御信号の受信強度を示す情報（ゲイン状態信号）としてマイコンに送信し、さらに、制御信号の制御内容を示す情報（リモコン信号）をマイコン２３に送信する。なお、制御信号の受信強度が小さければゲインは大きく設定され、受信強度が大きければゲインは小さく設定されるので、ゲイン状態信号の大きさは受信強度には反比例することになり、受信強度が小さいほど大きい値となる。よって、ＡＧＣ回路２９は、制御信号の受信強度の検出部として機能する。
【００３７】
ここで、受光部２８が受信してＡＧＣ回路２９に送信する制御信号はアナログ信号であり、ゲイン状態信号も受信強度に応じたアナログ信号である。また、リモコン信号は、マイコンが制御内容を解読できるようにするためにデジタル信号が用いられる。
【００３８】
マイコン２３は、リモコン信号を受信して制御内容を解読するとともに、マイコン２３が有するＡ／Ｄ変換部３０により、受信強度に応じた大きさのアナログ信号であるゲイン状態信号をデジタル信号に変換して、制御信号の受信強度を認識する。
【００３９】
さらに、マイコン２３は認識した制御信号の受信強度をメモリ２５に記憶する。その後、受光部２８で制御信号をさらに受信して、マイコン２３にリモコン信号とゲイン状態信号が送信されると、メモリ２４に記憶している制御信号の受信強度と比較する。この制御フローは、制御信号を受信する度に行われ、下記にさらに詳述する。
【００４０】
図４は、照明装置の制御フロー図である。図４を用いて、制御信号の受信信号の受信強度に応じて照明装置の調光を行う制御について説明する。
【００４１】
リモコン２５から第１の制御信号が送信されると、受信部としての赤外線センサ９の受光部２８にて第１の制御信号を受信する（Ｓ１）。すると、受光部２８からＡＧＣ回路２９に第１の制御信号が送信され、ＡＧＣ回路２９にて、ゲインの自動設定と制御内容の復号が為されて、マイコン２３（ＣＰＵ３１）に第１の制御信号のリモコン信号とゲイン状態信号が送信される。マイコン２３（ＣＰＵ３１）は、受信した第１の制御信号のゲイン状態信号をＡ／Ｄ変換してデジタル信号に変換した後にメモリ２４に記憶し（Ｓ２）、マイコン２３のクロック回路を用いてメモリに第１の制御信号の受信強度を記憶してからの時間を計時するタイマをスタートさせる（Ｓ３）。そして、第１の制御信号のリモコン信号に応じて、照明ユニット１５のＬＥＤモジュール６を制御する（Ｓ４）。
【００４２】
さらに、リモコン２５から第２の制御信号が送信されて、赤外線センサ９の受光部２８にて第２の制御信号を受信すると（Ｓ５）、第１の制御信号と同様に、受光部２８からＡＧＣ回路２９に第２の制御信号が送信され、ＡＧＣ回路２９からマイコン２３に第２の制御信号のリモコン信号とゲイン状態信号が送信される。
【００４３】
ここで、まず、第１の制御信号の受信強度をメモリ２４に記憶してから第２の制御信号の受信強度をマイコン２３が受信するまでの時間が、所定の時間（例えば１時間）内かどうかを判断する（Ｓ６）。
【００４４】
所定の時間内であれば、次に、第２の制御信号の受信強度を、メモリ２４に記憶されている第１の制御信号の受信強度と比較する（Ｓ７）。第２の制御信号のリモコン状態信号が第１の制御信号のリモコン状態信号と同じまたは小さい（受信強度が同じまたは大きい）場合には、マイコン２３は、第２の制御信号のゲイン状態信号を第１の制御信号のゲイン状態信号として、メモリに記憶して更新するとともに（Ｓ８）、タイマをリセットしてリスタートを行う（Ｓ９）。そして、第２の制御信号のリモコン信号に応じて、照明ユニットの制御を行う（Ｓ１０）。
【００４５】
次に、リスタートとしてから計時した時間が所定の時間内かどうかを判断し（Ｓ１１）、所定の時間を経過した場合には制御フローを終了させ、経過せずに第２の制御信号を受信した場合には、上記Ｓ５に戻り制御フローを継続する。
【００４６】
また、第２の制御信号のゲイン状態信号が第１の制御信号のゲイン状態信号よりも大きい（受信強度が小さい）場合には、マイコン２３は、継続して第１の制御信号のリモコン信号に応じた制御を行う。さらに、その後にリモコン２５から送信された制御信号を受光部２８が受信すると、該制御信号を第２の制御信号として、上述した制御フローに沿って制御が行われる。
【００４７】
なお、所定の時間内でなければ、第２の制御信号のリモコン状態信号を第１の制御信号のリモコン状態信号と比較することなく、マイコン２３は、受信した第２の制御信号のゲイン状態信号をメモリ２４に記憶して更新する（Ｓ８）。そして、タイマをリセットしてリスタートして（Ｓ９）、次に、第２の制御信号のリモコン信号に応じて、照明ユニット１５の制御を行う（Ｓ１０）。
【００４８】
よって、所定時間後は、第２の制御信号の受信強度の大きさに関係なく、第２の制御信号に応じて、照明ユニット１５が制御されることになるので、所定時間後は、第２の制御信号の受信強度が第１の制御信号の受信強度よりも大きくなるように、リモコン２５の向きを変える等の作業を行うことなく、照明装置１を制御することができる。
【００４９】
図５は、照明装置１が設置されている室内の模式図である。
室内の天井には、複数（本実施の形態では１０灯）の照明装置１が設置されている。１０灯の照明装置１は、窓側から窓と対向する壁側に向けて２灯ずつ並行に５列配置されている。また、室内の中央部のテーブル上にリモコン２５が置かれており、該リモコン２５を用いて室内の複数の照明装置１を一括して同時に制御でき、かつ、アドレスの設定等の作業を行うことなく、照明装置１を個別に制御することが可能である。また、一部の複数の照明装置からなるグループのみを制御することもできる。
【００５０】
昼間のように窓から差し込む外光が十分である時に、窓側の２灯の照明装置１（図６の点線で囲む制御対象）を他の８灯の照明装置１よりも照明の強度（調光レベル）を低くなるように設定して、調光制御する場合について説明する。
【００５１】
図６は、天井面における照明装置の配置を示した図である。図７は、窓側の２灯の照明装置を制御する場合の制御フロー図である。
まず、天井面にリモコン２５の送信部を向け（Ｓ２１）、例えばテーブルで作業するのに十分な照度が確保できる程度の調光レベル（第１の調光レベル）の制御信号を、複数の照明装置１の全体に対して送信する（Ｓ２２）。次に、リモコン２５の送信部を窓側の２灯の照明装置１の方向に向けて設定し（Ｓ２３）、第１の調光レベルよりも低い第２の調光レベルの制御信号を送信する（Ｓ２４）。
【００５２】
リモコン２５の送信部を、先の天井面に向けた方向から制御したい２灯の照明装置１に向けることによって、赤外線の制御信号は、２灯の照明装置１に対して特に強く送信されることになる。よって、窓側の２灯の照明装置１は、第２の調光レベルの制御信号の受信強度が、第１の調光レベルの制御信号の受信強度よりも大きくなるので、第２の調光レベルで調光制御が為されることになる。また、他の８灯の照明装置１は、第２の調光レベルの制御信号の受信強度が、第１の調光レベルの制御信号よりも受信強度よりも小さくなるので、第１の調光レベルで継続して照明が為されることになる。ここで、受信強度の比較は、上述したように制御信号のゲイン状態信号を比較することによって行われる。
【００５３】
なお、より確実に２灯の照明装置１にのみ強い強度で制御信号を送信する為に、天井面にリモコン２５を向けて第１の調光レベルの制御信号を送信した後に、窓側に近づいて、第２の調光レベルの制御信号を送信してもよい。また、リモコン２５に、送信する赤外線の指向角の広狭を切り替える指向角切り替えスイッチを設けておき、制御したい照明装置の数に応じて、指向角を切り替えることができるようにしていてもよい。
【００５４】
また、室内が広く、テーブルが設置されている中央付近のみを照明したい場合は、図８に示すように、天井の中央に位置する６灯の照明装置１（図８の点線で囲む制御対象）を窓側及び壁側の４灯の照明装置１よりも調光レベルが高くなるように設定してもよい。
【００５５】
この場合には、まず、天井面にリモコン２５の送信部を向け、例えば調光レベルの低い調光レベル（第１の調光レベル）の制御信号を、複数の照明装置１の全体に対して送信する。次に、天井の中央の６灯の照明装置１の方向にだけ、リモコン２５の送信部を向けて設定し、第１の調光レベルよりも高い第２の調光レベルの制御信号を送信する。
【００５６】
なお、照明装置１は照度センサ１０を備えているので、照度レベルを制御信号として送信して制御してもよい。この場合も、複数の照明装置１に対して所定の照度レベルの制御信号を送信して一括して同時に制御した後の、所定の時間内に、制御したい照明装置１に近づいて、またはリモコン２５の送信部を向けて、前記所定の照度レベルと異なる制御信号を送信する事により、個別の照明装置１のみを制御することができる。
【００５７】
以上説明したように、本発明の照明装置は、制御信号の受信強度に応じて、照明装置の制御が行われるので、複数の照明装置を同時に制御することができるとともに、アドレスの指定をすることなく、複数の照明装置を個別に制御することが可能である。
【００５８】
また、複数の照明装置と１つのリモコンからなる照明システムとすることで、リモコンの数を増やすことなく、複数の照明装置を同時に制御することができるとともに、アドレスの指定をすることなく、複数の照明装置を個別に制御することが可能な照明システムを提供することができる。
【００５９】
さらに、リモコンが送信する制御信号が略一定であっても、上述したように、リモコンの送信部を制御対象の照明装置に向ける、または制御対象の照明装置に近づけることで、個別に照明装置を制御することができるので、制御信号を送信する強度を変化させるといった特別な制御を行うことのない簡便な照明制御システムが実現される。
【００６０】
（実施の形態２）
次に本発明の実施の形態２の照明装置について説明する。
【００６１】
実施の形態２の照明装置４１の構成は、実施の形態１の照明装置と基本的に同一であり、信号強度検出回路の構成が異なる。実施の形態１と同一の構成については、同じ符号を付して詳細な説明は省略する。
【００６２】
図９は、実施の形態２の照明装置における赤外線センサの構成と、赤外線センサで受信したリモコンからの制御信号の受信強度を検出する検出部の回路構成を示す概略ブロック図である。
【００６３】
赤外線センサ４９は、赤外線の制御信号を受信する受信部としての受光部２８のみを有しており、受光部２８で受信した制御信号をアナログ信号のままマイコン２３に送信する。マイコン２３は、Ａ／Ｄ変換部３０で、アナログの制御信号をデジタル信号に変換し、マイコン２３（ＣＰＵ３１）にアナログ信号の信号強度レベルに応じたゲイン状態信号と、制御内容を示すリモコン信号を送信する。よって、実施の形態２の照明装置においては、マイコン２３のＡ／Ｄ変換部３０が制御信号の受信強度の検出部として機能する。
【００６４】
ゲイン状態信号とリモコン信号を受信した後の制御については、上述した実施の形態１の制御と同様である。
【００６５】
なお、以上の実施の形態において、照明ユニットの光源としてＬＥＤを用いているが、これに限定されず、蛍光灯やＥＬ（Ｅｌｅｃｔｒｏ  Ｌｕｍｉｎｅｓｃｅｎｃｅ）等の他の光源であってもよい。
【００６６】
また、以上の実施の形態において、制御対象として照明装置を例示しているが、これに限定されず、他の機器であってもよい。室内に複数の機器が設置され、複数の機器を一括して同時に制御する場合と個別に制御する場合があれば、本発明の制御が可能となる。機器として、例えば、窓に設置される電子ブラインドや、複数のディスプレイ装置から構成される大型ディスプレイにも適用が可能である。
【図面の簡単な説明】
【００６７】
【図１】本発明の実施の形態１の照明装置の概略斜視図である。
【図２】図１の照明装置の概略ブロック図である。
【図３】図１の照明装置の赤外線センサの構成と、赤外線センサで受信したリモコンからの制御信号の受信強度を検出する検出部の回路構成を示す概略ブロック図である。
【図４】図１の照明装置の制御フロー図である。
【図５】図１の照明装置が設置されている室内の模式図である。
【図６】天井面における照明装置の配置を示した図である。
【図７】室内の窓側の２灯の照明装置を制御する場合の制御フロー図である。
【図８】天井面における照明装置の配置を示した図である。
【図９】本発明の実施の形態２の照明装置における赤外線センサの構成と、赤外線センサで受信したリモコンからの制御信号の受信強度を検出する検出部の回路構成を示す概略ブロック図である。
【符号の説明】
【００６８】
１、４１  照明装置
２  発光ダイオード
６  ＬＥＤモジュール
９、４９  赤外線センサ
１０  照度センサ
１４  制御ユニット
２３  マイコン
２４  メモリ
２５  リモコン
２６  送信部
２７  操作部
２８  受光部
２９  ＡＧＣ回路
３０  Ａ／Ｄ変換部
３１  ＣＰＵ
【図１】
2010114008.tif 000003
【図２】
2010114008.tif 000004
【図３】
2010114008.tif 000005
【図４】
2010114008.tif 000006
【図５】
2010114008.tif 000007
【図６】
2010114008.tif 000008
【図７】
2010114008.tif 000009
【図８】
2010114008.tif 000010
【図９】
2010114008.tif 000011